(57)【特許請求の範囲】
【請求項１】
開いた状態又は閉じた状態を保持する開閉保持手段を備えた扇子であって、開閉可能に設けた一対の開閉枠に扇部材を取り付けかつ基端部側にて閉じ先端部側を開閉可能に形成した扇子本体と、一対の開閉枠の外側の中間部分にそれぞれ端部を取り付ける所要長さの紐状部材とを具備し、紐状部材を扇子本体の基端部の係合部に掛けて開状態を保ち、また、扇子本体の先端部に掛けて閉状態を保つように、扇子本体の基端部と先端部にそれぞれ紐状部材を掛ける係合部を設けて構成された扇子。
【請求項２】
扇子本体は、蛇腹折り構造を有し、その基端部の側にて蛇腹を閉じて扇の要となる部分を作るとともに、先端部の側を開き又は閉じるように設けた開閉可能な扇部材と、基端部から二又状にのびる一対の開閉枠を有し、開閉枠の基端部に扇の要とする扇部材の基端部を配置するとともに、上記扇部材の両外側を一対の開閉枠の内側に取り付け、扇部材と一体になる開閉枠によって、扇部材を開閉可能に形成する請求項１記載の扇子。
【請求項３】
蛇腹折り構造から成る扇部材は、要となる一端部が、ほぼコの字型に形成された開閉枠の基端部に収まって固定され、ほぼコの字型の基端部が扇子使用時に摘み持つ摘み部となる請求項１記載の扇子。
【発明の詳細な説明】
【技術分野】
【０００１】
本発明は、開いた状態又は閉じた状態を保持する開閉保持手段を備えた扇子に関するものである。
【背景技術】
【０００２】
扇子又は扇類は開閉可能な構造を有し、日本固有の発明品として古来親しまれており、現在も大きな需要を有している。従ってその種類も多く、あおいで涼を取る目的の実用品のほか、例えば飾りやゲームに用いるもの、さらには工芸品に至るものまで多岐にわたっている。開閉可能を特徴とする扇子であるから、要（かなめ）と呼ばれる軸を有する構造であれば、開いた状態または閉じた状態をほぼ保つことができる。しかし、要（かなめ）を有しているものも開いて使用している状態において閉じる力が働く傾向にあるので、扇子の使用中は開いた状態に保つ意識が必要になる。
【０００３】
これに対して、特開２００３−３１７号は複数個の帯状部をジグザグ状に連結して構成した扇子本体を有しており、その一端に帯状部を貫通する通孔を形成し、そこに紐を通して結束することで、要（かなめ）となる構造を作っている。しかし同発明では、扇子本体の開方向の所定の弾性と、屈曲状態での保形性とを確保するために、シート材をジグザグ状に折り曲げた状態で熱処理されており、自由状態にしたときに、シート材の屈曲部側の弾性等によって使用状態に拡がると説明されているものである。従って与えられた広がり方よりも広げたくてもそれ以上は広げにくいという問題がある。閉じておく手段は例示されているが、それには紐の端部を結び目で結ぶこと、要側との間の紐のループの中に扇子本体を入れることが必要であり、手間がかかる上に、外れやすいという問題もある。
【０００４】
【特許文献１】特開２００３−３１７号
【発明の開示】
【発明が解決しようとする課題】
【０００５】
本発明は前記の点に着目してなされたもので、その課題は、開いた状態又は閉じた状態を確実に保持することができる開閉保持手段を備えた扇子を提供することである。また、本発明の他の課題は、要（かなめ）としての軸を有していない構造の扇子においても確実に開くことができる実用性を備え、かつ、確実に閉じて中途半端に開くことがない完成度の高い扇子を提供することである。また、本発明の他の課題は、廉価な扇子を実現するとともに、それによって、例えばプレミアム品、或いは景品などの用途に好適な扇子を提供することである。
【課題を解決するための手段】
【０００６】
前記の課題を解決するため、本発明は、開いた状態又は閉じた状態を保持する開閉保持手段を備えた扇子について、開閉可能に設けた一対の開閉枠に扇部材を取り付けかつ基端部側にて閉じ先端部側を開閉可能に形成した扇子本体と、一対の開閉枠の外側の中間部分にそれぞれ端部を取り付ける所要長さの紐状部材とを具備し、紐状部材を扇子本体の基端部の係合部に掛けて開状態を保ち、また、扇子本体の先端部に掛けて閉状態を保つように、扇子本体の基端部と先端部にそれぞれ紐状部材を掛ける係合部を設けて構成するという手段を講じたものである。
【０００７】
上記の構成を有する本発明の扇子は、開閉枠に扇部材を取り付けて開閉可能に形成した扇子本体を有している。扇部材も開閉構造を持っているのは当然のことである。開閉枠に相当する部材を有している扇子は珍しくはないが、１枚のシートを一定幅で折り返すことを繰り返して形成した蛇腹折り構造から成る扇部材を有する構造のものにおいて、開閉枠を持つ先例のあることは知られていない。本発明のものは、この開閉枠に関連して開閉保持手段を構成したことを一つの特徴とする。
【０００８】
本発明において、扇子本体は、蛇腹折り構造を有し、その基端部の側にて蛇腹を閉じて扇の要（かなめ）となる部分を作るとともに、先端部の側を開き又は閉じるように設けた開閉可能な扇部材と、基端部から二又状にのびる一対の開閉枠を有し、開閉枠の基端部に扇の要とする扇部材の基端部を配置するとともに、上記扇部材の両外側を一対の開閉枠の内側に取り付け、扇部材と一体になる開閉枠によって、扇部材を開閉可能に形成することが望ましい。
【０００９】
本発明における開閉枠は、要（かなめ）によってまとめられる従来の開閉骨とは異なるもので、一対だけあれば良く、その一対の開閉枠の内側に扇部材を取り付ける構造体である。なお、扇部材は、１枚のシート状の材料を一定幅で折り返すことを繰り返して形成した蛇腹折り構造から成る構造を取り、製造が容易であり、廉価にまとめやすくなる。
【００１０】
上記扇部材は、あおいで風を起こすものであるから、その用途に耐えられるシート状材料を使用する。材料としては幾分か厚手であれば紙製が良く、それも特別の紙材である必要はないので、入手も容易でありかつ価格の抑制にも好都合である。他の材料としては、いわゆるプラスチックペーパー等の樹脂製シートなども使用することができる。開閉枠については、紐状部材による張力に耐える剛性を必要とすることから、ある程度幅のある細長い外形となり、紙なら厚紙ないし貼り合わせ紙が必要である。
【００１１】
本発明では、上記紐状部材を扇子本体の基端部の係合部に掛けて開状態を保ち、かつまた、扇子本体の先端部に掛けて閉状態を保つように、扇子本体の基端部と先端部にそれぞれ係合部を設け、紐状部材を掛けるものとする。係合部は、扇子本体の基端部と先端部に溝状の切り込みを入れるようにして設けるか、或いは２つの突起を形成しそれらの間を溝状の係合部とするか、或いは切り欠き状に形成することによって設けられ、紐状部材が不意に外れてしまうのを防止し、紐部材を掛けて扇子本体を開いた状態又は閉じた状態に保つので、安定した使用状態を得ることができる。
【００１２】
紐状部材は扇子本体の開閉保持手段を構成するものであり、一対の開閉枠の外側の中間部分にそれぞれ端部を取り付けられる、所要長さを有している必要がある。また、上記係合部との掛け外しなどのために、紐状部材には、ある程度の伸び縮みが可能であることが望まれる。紐状部材の伸び縮みつまり伸縮性或いは弾力性について、強過ぎる張力を与えることによって、扇子本体、特に開閉枠を変形させることになりかねないので、過剰にならないように注意を要する。蛇腹折り構造から成る扇部材は、要（かなめ）となる一端部を、ほぼコの字型に形成された開閉枠の基端部に収めて固定し、ほぼコの字型の基端部が扇子使用時に摘み持つ摘み部となるように構成することができる。
【００１３】
このように構成された本発明に係る扇子は、図柄、文字等を印刷した紙製品等によって扇部材を形成することができ、また、紙材として特別のものを必要としないものであるから、価格を抑制するためにも有利である。このように量産性のある廉価な扇子であるが、扇子本体は十分な角度に開き、十分な実用性を発揮するものであり、従って、プレミアム商品等としても十分な実用性を有する。
【発明の効果】
【００１４】
本発明は以上のように構成されかつ作用するものであるから、開いた状態又は閉じた状態を確実に保持することができる開閉保持手段を備えた、安心して使える扇子を提供することができるという効果を発揮する。また、本発明によれば、要（かなめ）を有していない構造の扇子においても確実に開くことができる実用性を備えるものであり、かつ、確実に閉じて中途半端に開くことがない完成度の高い扇子を提供することができる。また、本発明によれば、廉価で使いやすい扇子を実現することができ、それによって、プレミアム品或いは景品などの用途に好適な扇子を提供することができる。
【発明を実施するための最良の形態】
【００１５】
以下、図示の実施形態を参照して本発明をより詳細に説明する。図１は、本発明に係る扇子１０の一例を示したもので、図示の扇子１０は、一対の開閉枠１１、１２に、蛇腹折り構造を有する扇部材１３を取り付けて開閉可能に形成した扇子本体１４と、一対の開閉枠１１、１２の外側の中間部分にそれぞれ端部を取り付けた、所要長さの紐状部材１５とを具備している。上記一対の開閉枠１１、１２は、後述する紐状部材１５による張力に耐える剛性を有する厚紙又はレジンペーパーを用いて形成され、扇部材１３は、あおぐときに生じる風圧に耐えるシート状の材料を用いて形成されている。
【００１６】
分解して示した図２によってより良く理解されるように、扇部材１３は、１枚のシート状の材料を一定幅で折り返すことを繰り返して形成した蛇腹折り構造を有し、その基端部１３ａにて蛇腹を閉じて扇の要となる部分を作るとともに、先端部１３ｂの側を開き又は閉じるように設けられている。その１６は図柄を示しており、この図柄１６は扇部材１３の表面に印刷等の手段によって描かれている。
【００１７】
従って、扇部材１３には本発明の扇子の提供目的に応じて、絵画、写真、図案ないしは文字などあらゆる種類の視覚的表現を適用することができる。また、扇部材１３の基端部１３ａには軸孔１３ｃが形成されており、さらに扇部材１３の蛇腹折り構造の左右両側の側片１３ｄ、１３ｅを糊代として開閉枠１１、１２の内側に取り付けられて一体になり、開閉可能な扇子本体１４を構成する。
【００１８】
図示されている一対の開閉枠１１、１２は、ほぼコの字型に形成された基端部１７と折り曲げ線１７ａから先の一対の開閉枠１１、１２が一体になっている構造のもので、一対の開閉枠１１、１２が基端部１７から二又状にのびた形態になっている。上記基端部１７のコの字型の内部１７ｂには、扇の要に当たる扇部材１３の一端１３ａを配置するとともに、止軸１８を用いて上記扇部材１３を止め着け固定する。
【００１９】
止軸１８は、上記コの字型の基端部１７に形成されている軸孔１７ｃ及び上記扇部材の軸孔１３ｃに差し通して、基端部１７の反対側に抜け出た端部に固定処理部１９を設け、組み立てられる。固定処理部１９は、例えば樹脂製の止軸１８の端部を加熱して膨らんだ頭部１８ａを作る方法によってなされているが、この方法に限られるわけではなく、ねじ止めのためのナットなど任意の公知の方法によって固定することができる。図３はこの固定処理部１９の変形例を示しており、図３Ａは上記の軸１８を用いる例である。図３Ｂはほぼコの字型の基端部１７にテープ１９ａを巻き付けて扇部材１３の基端部１３ａを接着固定する例であり、図３Ｃは一対の開閉枠１１、１２の基端部１７としてボックス状部分を形成し、その中に扇部材１３の基端部１３ａを嵌め込んで接着固定する例である。これによって扇部材１３の一端部１３ａは、蛇腹を構成している折り返し片が相互に密着して閉じた状態になる。
【００２０】
このような構成を有する扇子本体１４には、開閉保持手段として、所要長さの紐状部材１５を取り付ける。紐状部材１５は一対の開閉枠１１、１２の外側の中間部分にそれぞれ端部１５ａ、１５ｂを、例えば接着し、かつ、扇部材１３の左右両側の側片１３ｄ、１３ｅを重ねて接着し取り付けることができる。紐状部材１５には、ある程度の伸び縮みが可能であることも望まれる。つまり一対の開閉枠１１、１２に過剰な張力を及ぼさないために、紐状部材１５は長過ぎず短過ぎない適度の長さのものである必要がある。
【００２１】
扇子本体１４の開閉枠１１、１２の基端部１７と先端部２１、２２には、紐状部材１５を掛ける係合部２３、２４、２５をそれぞれ設ける。上記係合部２３、２４、２５は、図１等の例の場合、厚紙から成る開閉枠１１、１２の先端部２１、２２にほぼＵ字型の溝状に形成している。しかし係合部は、図４に例示するような変形例を取ることができる。即ち、図４Ａは開閉枠１１、１２又は基端部１７にほぼＵ字型の切り込みを入れて設けた係合部２４の例（なお、係合部の符号として、図４では２４で代表させる）、図４Ｂは２つの突起２４ａ、２４ａを形成しそれらの間を溝状の係合部２４とした例、図４Ｃは切り欠き２４ｃを形成することによって設けられた係合部２４の例をそれぞれ示している。開閉保持手段はこのようにして紐状部材１５と係合部２３、２４、２５によって構成することができる。構造強度の必要上、一対の開閉枠１１、１２の形態はある程度幅広くなり、その幅の範囲内に扇部材１３が収まる形態になるが、一対の開閉枠１１、１２は扇部材１３のケースになるという利点もある。
【００２２】
また、係合部２３、２４、２５と、紐状部材１５の端部１５ａを取り付ける一対の開閉枠１１、１２の外側の中間部分２６ａ、２６ｂの位置は、中間部分２６ａ、２６ｂと先端係合部２４、２５の距離よりも、それぞれ掛け外しなどのために、中間部分２６ａ、２６ｂと基端側係合部２３の距離の方がやや長くなるように設定している。この設定により、基端側係合部２３に紐状部材１５を掛けたときの張力で、図１に示したようにほぼ１８０度まで開いた状態を取ることができる。
【００２３】
このように構成されている本発明について、次に図１及び図５を参照して使用法を説明すると、扇子本体１４を閉じて紐状部材１５を先端係合部２４、２５に掛け止める場合、本発明の扇子１０は図５に示したように１本の棒状になり、紐状部材１５は溝状の係合部２４、２５に掛け止められているので外れる恐れがない。それは紐状部材１５に直角に相当の張力が加えられても外れず、先端係合部２４、２５の掛け止めを同時に意図的に外そうとしない限り外れることはない。
【００２４】
他方、紐状部材１５を先端係合部２４、２５から外し、扇子本体１４を開いて紐状部材１５を基端側係合部２３に掛け止める場合、扇子１０は図１に示したようにほぼ１８０度まで開いた状態を取る。よって開いた状態ではコの字型の基端部１７が扇子使用時に摘み持つ摘み部２７となるので、これを支えとして扇子１０を使用することができる。
【００２５】
このように本発明の扇子１０は、開閉枠１１、１２と扇部材１３及び紐状部材１５を主要な部材として形成されているものであるから、構造が簡単であることによる使いにくさがなく、むしろ簡易型の扇子として必要な機能を新たに備えた使用し易いものである。また、図柄１６一つを変えるだけで扇部材１３の印象が変わるので、多品種少量製産にも適しており、有用である。
【産業上の利用可能性】
【００２６】
本発明の扇子は、普及品としても、廉価品としてもまた高級品としても設計することができかつ生産することができるが、最も単純化した場合には廉価に生産できるものであるから、プレミアム商品等として最適であり、しかも十分な実用性を発揮する。
【図面の簡単な説明】
【００２７】
【図１】本発明に係る扇子の一例を示す展開状態の斜視図である。
【図２】同上の扇子を分解して示す斜視図である。
【図３】同上の扇子における基端部の三つの変形例Ａ、Ｂ、Ｃを示す斜視図である。
【図４】同上の扇子における係合部の三つの変形例Ａ、Ｂ、Ｃを示す斜視図である。
【図５】本発明に係る扇子の一例を示す閉じた状態の斜視図である。
【符号の説明】
【００２８】
１０  扇子
１１、１２  開閉枠
１３  扇部材
１４  扇子本体
１５  紐状部材
１６  図柄
１７  基端部
１８  止軸
１９  固定処理部
２１、２２  先端部
２３、２４、２５  係合部
２６ａ、２６ｂ  中間部分
２７  摘み部
【図１】
0005395540.tif 000002
【図２】
0005395540.tif 000003
【図３】
0005395540.tif 000004
【図４】
0005395540.tif 000005
【図５】
0005395540.tif 000006